(57)【要約】【課題】外部環境から内部を密閉する電気部品用のターミナルコンタクトのアセンブリを提供すること。【解決手段】  電気部品の内部と外部を密閉させるターミナルコンタクトのアセンブリ10である。このアセンブリ10は、電気部品のハウジング14の開口部12内を通って延びるようにターミナルコンタクト20を含む。ターミナルコンタクト20は電気部品の内部側に配置される内側の端部24と、外側の端部22を有する。また、電気部品のハウジング14を貫通する開口部12内に、ターミナルコンタクト20に対して変形可能なシール部材48を設ける。また、電気部品の内部にこの内面16と隣接して内側の絶縁体50を配置し、かつハウジング14の外面18に隣接してターミナルコンタクト20に従って延びるように外側の絶縁体36を配置する。さらに、トルクを生じさせる構造物68を備えて、シール部材48に対して変形するような力を加えて、このシール部材48によりハウジング14を貫通する開口部12を密閉させる。【選択図】  図１
2004349252.tif 000002
【特許請求の範囲】
【請求項１】
航空宇宙機用の電気部品に対して取付けられるターミナルコンタクトのアセンブリ（１０）であって、前記電気部品は内部と外部を定め、これらの間に開口部（１２）を有し、さらに前記ターミナルコンタクトのアセンブリは、
前記電気部品の前記開口部（１２）内に配置可能で、内側と外側の端部（２２、２４）を有するターミナルコンタクト（２０）と、
前記電気部品を貫通する前記開口部（１２）内で前記ターミナルコンタクトに対して配置され、前記電気部品の内部を密閉する変形可能なＯ−リング（４８）とを含むことを特徴とするアセンブリ。
【請求項２】
さらに、前記電気部品の内側で前記Ｏ−リング（４８）に隣接して内側の絶縁体（５０）を含むことを特徴とする請求項１に記載のアセンブリ。
【請求項３】
さらに、前記ターミナルコンタクト（２０）に従って延びるように外側の絶縁体（３６）を含むことを特徴とする請求項２に記載のアセンブリ。
【請求項４】
前記内側の絶縁体（５０）は、前記電気部品の表面上に配置される拡大したヘッド部（５２）と、該ヘッド部から延びて、前記電気部品の前記開口部（１２）内に装着可能なネック部（６２）とを含むことを特徴とする請求項３に記載のアセンブリ。
【請求項５】
前記ターミナルコンタクト（２０）は、この部材からラジアル方向に延びるように円盤状部（２８）を含むことを特徴とする請求項１に記載のアセンブリ。
【請求項６】
さらに、前記Ｏ−リング（４８）を挟んで前記絶縁体（３６、５０）を備えることを特徴とする請求項５に記載のアセンブリ。
【請求項７】
さらに、前記Ｏ−リング（４８）上に変形させる力を生じさせるように、前記絶縁体と係合可能なように、トルクを生じさせる構造物（６８）を含むことを特徴とする請求項６に記載のアセンブリ。
【請求項８】
前記トルクを生じさせる構造物（６８）は前記ターミナルコンタクト（２０）の内側の端部（２４）に対して螺合可能なようにナットを含み、前記円盤状部（２８）と前記ナット（６８）の間で前記絶縁体を圧縮させることを特徴とする請求項７に記載のアセンブリ。
【請求項９】
内部と外部を定め、これらの間に開口部（１２）を有する電気部品に対して取付けられるターミナルコンタクトのアセンブリ（１０）であって、
前記電気部品の前記開口部（１２）内を通るように延びて、内側の端部（２４）と外側の端部（２２）を備えるターミナルコンタクト（２０）と、
前記電気部品を貫通する前記開口部（１２）内で前記ターミナルコンタクト（２０）に対して配置される変形可能なＯ−リング（４８）と、
前記Ｏ−リング（４８）に対して変形させる力を生じさせて、前記Ｏ−リング（４８）によって前記電気部品を貫通する前記開口部（１２）を密閉させる、トルクを生じさせる構造物（６８）を含むことを特徴とするアセンブリ。
【請求項１０】
さらに、前記Ｏ−リング（４８）に隣接して前記電気部品の内部に配置される内側の絶縁体（５０）と、
前記ターミナルコンタクト（２０）に従って延びる外側の絶縁体（３６）とを含み、前記外側の絶縁体（３６）と前記内側の絶縁体（５０）の間に前記Ｏ−リング（４８）を挟持することを特徴とする請求項９に記載のアセンブリ。
【請求項１１】
前記内側の絶縁体（５０）は、前記電気部品の表面上に配置される拡大したヘッド部（５２）と、該ヘッド部から延びて、前記電気部品の前記開口部（１２）内に装着可能なネック部（６２）とを含むことを特徴とする請求項１０に記載のアセンブリ。
【請求項１２】
前記ターミナルコンタクト（２０）は、この部材からラジアル方向に延びるように円盤状部（２８）を含むことを特徴とする請求項１０に記載のアセンブリ。
【請求項１３】
前記トルクを生じさせる構造物（６８）は前記ターミナルコンタクト（２０）の内側の端部（２４）に対して螺合可能なようにナットを含み、前記円盤状部（２８）と前記ナット（６８）の間で前記内側の絶縁体（５０）と外側の絶縁体（３６）を圧縮させることを特徴とする請求項１２に記載のアセンブリ。
【請求項１４】
前記内側の絶縁体（５０）は、摩擦抵抗の高い部材から形成されることを特徴とする請求項１０に記載のアセンブリ。
【請求項１５】
電気部品に対して取付けられるターミナルコンタクトのアセンブリ（１０）であって、前記電気部品は内部を定める内面と、外面と、これらの間に開口部（１２）を有し、さらに前記ターミナルコンタクトのアセンブリは、
前記電気部品の前記開口部（１２）内を通るように延びて、外側の端部（２２）と前記電気部品の内部に配置される内側の端部（２４）を有するターミナルコンタクト（２０）と、
前記電気部品を貫通する前記開口部（１２）内で前記ターミナルコンタクト（２０）に対して配置される変形可能なシール部材（４８）と、
前記電気部品の表面に隣接して配置される外側の絶縁体（３６）と、
前記ターミナルコンタクト（２０）に従って延びて、ベース部（５２）と前記開口部（１２）内に延びるネック部（６２）とを含む内側の絶縁体（５０）と、
前記シール部材（４８）上に変形させる力を生じさせて、前記シール部材（４８）によって前記電気部品を貫通する前記開口部（１２）を密閉させる、トルクを生じさせる構造物（６８）を含むことを特徴とするアセンブリ。
【請求項１６】
前記ターミナルコンタクト（２０）は、この部材からラジアル方向に延びるように円盤状部（２８）を備えることを特徴とする請求項１５に記載のアセンブリ。
【請求項１７】
前記トルクを生じさせる構造物（６８）は前記ターミナルコンタクト（２０）の内側の端部（２４）に対して螺合可能なようにナットを含み、前記円盤状部（２８）と前記ナット（６８）の間で前記内側の絶縁体（５０）と外側の絶縁体（３６）を圧縮させることを特徴とする請求項１６に記載のアセンブリ。
【請求項１８】
前記内側の絶縁体（５０）は摩擦抵抗の高い部材から形成されることを特徴とする請求項１５に記載のアセンブリ。
【発明の詳細な説明】
【技術分野】
【０００１】
本発明は、広く電気機械部品に関するが、特に、航空宇宙機（aerospace vehicle）用の電気機械部品の内部と外部とを機能的に連続させるように、密閉されるターミナルに関するものである。
【背景技術】
【０００２】
従来公知なように、広く様々な分野において、無数の目的のために電気機械部品が用いられている。これら電気機械部品の中には、電気回路を含む電気部品を備えて、電気機械部品が露出される側の外部環境を感知できるようにするものがある。この場合、これら回路を保護するために、電気部品の多くは回路用のハウジングを備えて、電気部品の内部をこの外部から密閉させて、電気回路の構成要素が外部環境に対して露出されることを制限させている。この場合、電気部品のハウジング内の電気回路は、ターミナル（ターミナルコンタクト）を用いて、ハウジングの外部の電気部品及び／または機械部品と機能的に接続されることが好ましい。
【０００３】
従来、ハウジングを貫通して延びるようにターミナルを備える電気部品を密閉させるため、ハウジングに対してターミナルをはんだ付けしたり、溶接させて、ターミナル付近から部品内に漏れが生じることを防いでいた。しかしながら、例えば、航空宇宙機のような分野で電気部品を使用する場合には、電気部品のハウジングに対してターミナルをはんだ付けしたり、溶接させることには、特有の短所があることが知られている。具体的に説明すると、航空宇宙機は地表上と高い高度との間を循環することがあり、この場合、ターミナルを取付けるために用いられたはんだや溶接部が急な温度変化によって影響を受けることがある。この結果、はんだや溶接部に割れ目（クラック）が生じて、密閉を損なわせたり、絶縁抵抗（insulation resistance）の減少や、耐電圧（dielectric withstanding voltage）の減少を生じさせることがあった。さらに、航空宇宙機が地表上と高い高度との間を循環する際に、圧力が繰返し変化することによって、電気部品のハウジングが繰返して縮小と膨張される結果、はんだや溶接部に割れ目が生じることがあった。この場合、ハウジング内の電気回路が外部環境に対して露出されて、電気回路を早く損傷させることが危惧される。
【発明の開示】
【発明が解決しようとする課題】
【０００４】
本発明は、以上の点に鑑みてなされたものであり、上述した短所を克服するように、外部環境から内部を密閉する電気部品用のターミナルコンタクトのアセンブリを提供することを主要な目的とするものである。
【０００５】
また、本発明は、広範囲な環境下で使用されても、密閉性を維持するように電気部品用のターミナルコンタクトのアセンブリを提供することをさらなる目的とするものである。
【０００６】
また、本発明は、より低コストで、かつ簡単に、電気部品のハウジングに対して取付けることができる電気部品用のターミナルコンタクトのアセンブリを提供することをさらなる目的とするものである。
【課題を解決するための手段】
【０００７】
上記目的を達成するために、本発明は、内部と外部を定め、これらの間に開口部を備える電気部品に対して取付けられるようにターミナルコンタクトのアセンブリを提供する。このターミナルコンタクトのアセンブリは、電気部品の開口部内に配置されるようにターミナルコンタクト（ターミナル）を含む。このターミナルコンタクトは、内側の端部と外側の端部を有する。また、電気部品を貫通する開口部内で、ターミナルコンタクトに対して変形可能なＯ−リングを備えて、電気部品の内部を密閉させる。
【０００８】
さらに、本発明に係るアセンブリは、上記Ｏ−リングに隣接して電気部品の内部側に位置するように内側の絶縁体と、ターミナルコンタクトに従って延びるように外側の絶縁体を備える。内側の絶縁体は、電気部品の内部側に配置される拡大（または拡径）したヘッド部と、該ヘッド部から延びるようにネック部を有する。この内側の絶縁体のネック部は、電気部品の開口部内に装着可能なように設けられる。また、ターミナルコンタクトは、電気部品の周囲で、この部材からラジアル方向に延びるように円盤状部（ディスク状部）を有する。また、ターミナルコンタクトの内側の端部に対して螺合可能なようにナットを設ける。このナットにより、円盤状部とナットとの間で内側と外側の絶縁体を圧縮させて、Ｏ−リングに対して変形させるような力を生じさせる。
【０００９】
本発明に係るさらなる特徴では、電気部品に対して取付けられるターミナルコンタクトのアセンブリを備える。この電気部品は内部と外部を定め、これらの間に開口部を有する。このターミナルコンタクトのアセンブリは、電気部品の開口部内を通るようにターミナルコンタクト（ターミナル）を有する。このターミナルコンタクトは内側と外側の端部を有する。また、電気部品の貫通した開口部内に、ターミナルコンタクトに対して変形可能なＯ−リングを備える。そして、トルクを生じさせる構造物によってＯ−リングに対して変形させる力を生じさせて、電気部品の貫通した開口部を密閉させる。
【００１０】
また、本発明に係るアセンブリは、電気部品の内部で、上記Ｏ−リングに隣接して内側の絶縁体を備える。また、ターミナルコンタクトに従って外側の絶縁体を延ばして、内側の絶縁体と外側の絶縁体の間にＯ−リングが挟持されるようにする。内側の絶縁体は、電気部品の内部側に配置される拡大（または拡径）されたヘッド部と、該ヘッド部から延びるようにネック部を備える。このネック部は、電気部品の開口部内に装着可能なように設けられる。
【００１１】
特に、本発明に係るターミナルコンタクトはこの部材からラジアル方向に延びるように円盤状部（ディスク部）を備える。また、例えばナットのような、トルクを生じさせる構造物をターミナルコンタクトの内側の端部に対して螺合可能なように設けて、円盤状部とナットの間で内側と外側の絶縁体を圧縮させる。好ましくは、ポリエーテルミド（polyethermide）のような摩擦抵抗の高い部材から内側と外側の絶縁体を形成する。
【００１２】
本発明に係るさらなる特徴では、電気部品に対して取付けられるようにターミナルコンタクトのアセンブリを備える。この電気部品は内部を定める内面と、外面と、これらの間に開口部を有する。また、ターミナルコンタクトのアセンブリは、電気部品の開口部を通って延びるようにターミナルコンタクト（ターミナル）を有する。このターミナルコンタクトは、外側の端部と、電気部品の内部に配置されるように内側の端部を有する。また、電気部品の貫通した開口部内に、ターミナルコンタクトに対して変形可能なＯ−リングを備える。また、電気部品の外面に隣接して、外側の絶縁体を配置する。また、ターミナルコンタクトに従って延びるように内側の絶縁体を備える。この内側の絶縁体は、ベース部と、開口部内に延びるようにネック部を有する。そして、トルクを生じさせる構造物によってＯ−リングに対して変形させるような力を加えて、Ｏ−リングによって電気部品の貫通した開口部を密閉させる。
【００１３】
さらに、ターミナルコンタクトは、この部材からラジアル方向に延びるように円盤状部（ディスク部）を有する。上記トルクを生じさせる構造物はターミナルの内側の端部に対して螺合可能なようにナットを含み、円盤状部とナットの間で内側と外側の絶縁体を圧縮させる。これら内側と外側の絶縁体は、例えば、ポリエーテルミドのような摩擦抵抗の高い部材から形成される。
【発明を実施するための最良の形態】
【００１４】
以下、本発明に係る好適な実施形態について、添付した図を参照して説明する。
尚、添付した図は、上述した本発明に係る長所と特徴とを明瞭にするために示されたものであるが、後述する記載内容を参照することによって、本発明に係るさらなる他の特徴についても理解できるものと思料する。
【００１５】
図１〜３を参照すると、符合１０を用いて、本発明の実施形態に係るターミナルコンタクトのアセンブリを示している。このターミナルコンタクトのアセンブリ１０は、特に航空宇宙機用の電気部品のハウジング１４に対して、この貫通した開口部１２内に装着される。例示上、ハウジング１４は電気部品の内部を定める内面１６と、ハウジング１４が外部環境と接する側の外面１８を有する。
【００１６】
ターミナルコンタクトのアセンブリ１０はターミナル（ターミナルコンタクト）２０を含み、この部材は外側の端部２２と内側の端部２４を有する。このターミナル２０は略円筒形状の外面２６によって定められている。また、ターミナル２０の外面２６からは円盤状の部材２８がラジアル方向に突出し、ラジアル方向外側の端部３０で終端している。この円盤状部（ディスク部）２８の外側の端部３０は、第１と第２の表面３２、３４の間で延びている。
【００１７】
図示した実施形態では、ターミナル２０の外面２６にねじ状の部位（スレッド部）２６ａがターミナル２０の外側の端部２２から円盤状部２８の表面３２にかけて延びるように備えられている。また、ターミナル２０の外面２６にねじ状の部位（スレッド部）２６ｂがターミナル２０の内側の端部２４からターミナル２０の外面２６のねじ状にされていない部位２６ｃにかけて延びるように備えられている。このターミナル２０の外面２６のねじ状にされていない部位２６ｃは、ターミナル２０の外面２６のねじ状の部位２６ｂと円盤状部２８の表面３４にかけて延びている。
【００１８】
さらに、ターミナルコンタクトのアセンブリ１０は略円盤形状の外側の絶縁体（インシュレータ）３６を備え、この部材はハウジング１４の外面１８と当接するように内面３８と、円盤状部２８の表面３４と当接するように外面４０を有する。これら外側の絶縁体３６の内面３８と外面４０は、ラジアル方向外側の端部４２とラジアル方向内側の端部４４によって連接している。絶縁体３６の内側の端部４４は絶縁体３６を貫通するように開口部４６を定め、この中にターミナル２０を挿通可能にする。好ましくは、外側の絶縁体３６の開口部４６の直径はターミナル２０の直径と略等しくなるように定め、また、例えばポリエーテルミド（polyethermide）のような摩擦抵抗の高い部材から外側の絶縁体３６を形成する。
【００１９】
さらに、ターミナルコンタクトのアセンブリ１０はＯ−リング４８と内側の絶縁体５０を備える。好ましくは、合成ゴム（synthetic rubber）からＯ−リングを形成し、また、例えばポリエーテルミドのような摩擦抵抗の高い部材から絶縁体５０を形成する。また、Ｏ−リング４８の内径はターミナル２０の直径と略等しくなるように定め、Ｏ−リング４８の外径はハウジング１４の開口部１２の直径と略等しくなるように定める。内側の絶縁体５０は内面５４と外面５６によって定められるように円盤状部（ディスク部）５２を有し、この外面５６はハウジング１４の内面１６と当接される。内側の絶縁体５０の円盤状部５２の内面５４と外面５６は、ラジアル方向外側の端部５８によって連接している。また、内側の絶縁体５０の円盤状部（ディスク部）５８の外面５６からはネック部６０が延びて、この部位は外面６２を備える。ネック部６０は終端側の端部６４で終端し、ハウジング１４を貫通する開口部１２の直径と略等しい直径を有する。開口部６６は、内側の絶縁体５０を貫通して、円盤状部５２の内面５４とネック部６０の終端側の端部６４との間にかけて延びる。この内側の絶縁体５０を貫通する開口部６６は、ターミナル２０の直径と略等しい直径を有する。さらに、本発明の実施形態に係るアセンブリは、ターミナル２０の内側の端部２４から取付けられるようにナット（トルクを生じさせる構造物）６８を備えるが、後述するように、この部材は平面状で絶縁性の当接面７０を備えて、内側の絶縁体５０の円盤状部５２の内面５４と当接する。
【００２０】
図示した実施形態では、ターミナルコンタクトのアセンブリ１０をハウジング１４に取付けるために、ターミナル２０の内側の端部２４を外側の絶縁体３６の開口部４６内に挿入して、外側の絶縁体３６の外面４０と円盤状部２８の表面３４とを当接させる。この後、ターミナル２０の内側の端部２４をハウジング１４の開口部１２内に挿入して、外側の絶縁体３６の内面３８をハウジング１４の外面１８と当接させる。上述したように、外側の絶縁体３６は円盤状部２８とハウジング１４との間で、ターミナル２０のねじ状に刻まれていない部位２６ｃ上に取付けられる。
【００２１】
ターミナル２０をハウジング１４の開口部１２内に通す際、Ｏ−リング４８をターミナル２０の内側の端部２４側からハウジング１４の開口部１２内までスライド移動させるように取付ける。この結果、Ｏ−リング４８の内径側はターミナル２０の外面２６のねじ状にされていない部位２６ｃと密着するように係合し、またＯ−リング４８の外径側はハウジング１４と密着するように係合する。同様に、内側の絶縁体５０をターミナル２０の内側の端部２４側からスライド移動させて、内側の絶縁体５０の開口部６６内にターミナル２０が通るようにする。さらに、ナット６８をターミナル２０の内側の端部２４側から螺合させて、内側の絶縁体５０のネック部６０をハウジング１４の貫通した開口部１２内のＯ−リング４８と係合させる。さらに、ナット６８をターミナル２０の外面２６上のねじ状の部位２６ｂと螺合させていき、外側の絶縁体３６の内面３８と内側の絶縁体５０のネック部６０の終端側の端部６４との間でＯ−リング４８を圧縮させる。この結果、Ｏ−リング４８の形状は変形して、Ｏ−リング４８はハウジング１４の外部環境からハウジング１４の内部を密閉させる。この際、本発明に係る実施形態では、ターミナル２０、ハウジング１４、内側と外側の絶縁体５０、３６の夫々の間の摩擦抵抗の圧縮性により、ナット６８をターミナル２０の内側の端部２４から螺合するのに要する組付け用のトルクは小さくてもよい。このため、ターミナルコンタクトのアセンブリをハウジング１４に対して組み付けるのに要する時間を短縮できる。さらに、従来技術ではターミナルコンタクトのアセンブリを定位置に取付けるために、はんだ付けや、ろう付けや、溶接等により固定していたのに対して、本発明の実施形態に係るターミナルコンタクトのアセンブリ１０では、露出される電気装置に対して加えられ得る機械的なストレスをより良好に吸収することが可能になる。
【００２２】
図４を参照すると、参照番号７２を用いて、本発明の他の実施形態に係るターミナルコンタクトのアセンブリを示している。但し、このターミナルコンタクトのアセンブリ７２は上述したターミナルコンタクトのアセンブリ１０と共通の構成要素を含んでいるため、これら共通の構成要素に対しては同じ参照番号を用いて示している。また、ターミナルコンタクトのアセンブリ７２は、上述したターミナルコンタクトのアセンブリ１０と同様に、ハウジング１４の貫通した開口部１２内に取付けられる。また、図示するように、ターミナルコンタクトのアセンブリ７２は外面７６と内面７８を有するように略円盤形状の外側の絶縁体７４を備え、この内面７８はハウジング１４の外面１８と当接される。外側の絶縁体７４の外面７６と内面７８はラジアル方向外側の端部８０とラジアル方向内側の端部８２によって連接されており、このラジアル方向内側の端部８２は開口部を定めるように貫通する。また、凹状の表面８４を内側の端部８２と外側の絶縁体７４の内面７８との間にかけて延びるように備えて、Ｏ−リング８６が取付けられるようにする。
【００２３】
上記Ｏ−リング８６は、外側の絶縁体７４の凹状の表面８４と係合できるように略円錐形状の外面８８を備える。また、Ｏ−リング８６は貫通するように開口部９２を備えており、この径がターミナル２０の外径と略等しいようにする。さらに、Ｏ−リング８６はハウジング１４を貫通する開口部１２の外径よりも大きな外径を有するが、この理由については後述する。
【００２４】
図示するように、さらにターミナルコンタクトのアセンブリ７２は内側の絶縁体９４を備える。内側の絶縁体９４は円盤状部（ディスク部）９６を備え、この部位は内面９８と、ハウジング１４の内面１６と当接されるように外面１００を備える。この円盤状部９６は、内面９８から終端側の端部１０２まで延びるように略円筒形状のネック部１０１を備える。同様に、内側の絶縁体９４の円盤状部９６は、外面１００から終端側の端部１０６まで延びるように外側のネック部１０４を備える。このネック部１０４はハウジング１４を貫通する開口部１２の外径と略等しい外径を有する。さらに、内側の絶縁体９４は、ターミナル２０に合わせて、内側のネック部１０１の終端側の端部１０２から外側のネック部１０４の終端側の端部１０６まで延びる通路１０８を定めるように、内側の絶縁体９４を貫通する内面１０８を備える。好ましくは、後述する理由により、この内側の絶縁体９４の内面１０８にねじ状部（スレッド）を備えて、ターミナル２０の外面２６のうち、内側の端部側に備えたねじ状部（スレッド）２６ｂと螺合できるようにする。
【００２５】
図示した実施形態では、ターミナルコンタクトのアセンブリ７２をハウジング１４に取付けるためには、ターミナル２０の内側の端部２４を外側の絶縁体７４の開口部内に挿入して、外側の絶縁体の外面を円盤状部２８の表面３４と当接させる。次に、ターミナル２０の内側の端部２４をＯ−リング８６の開口部９２内に挿入して、Ｏ−リング８６の外面８８を外側の絶縁体７４の凹状の表面８４と係合させる。この後、ターミナル２０の内側の端部２４をハウジング１４の開口部１２内に挿入して、外側の絶縁体７４の内面７８をハウジング１４の外面１８と当接させて、Ｏ−リング８６がハウジング１４を貫通する開口部１２をオーバーラップさせるようにする。
【００２６】
上述のようにターミナル２０をハウジング１４の開口部１２内に通す際、内側の絶縁体９４をターミナル２０の外面２６のうちの内部側の部位２６ｂから螺合させる。さらに、内側の絶縁体９４をターミナル２０と螺合させていき、外側の絶縁体７４の凹状の表面８４と内側の絶縁体９４の外面１００との間でＯ−リング８６を圧縮させて、開口部１２内でＯ−リング８６を変形させて、ハウジング１４の外部環境からハウジング１４の内部を密閉させる。重複した記載になるが、外側の絶縁体７４、ハウジング１４、ターミナル２０及び内側の絶縁体９４の間における圧縮性の摩擦抵抗のため、内側の絶縁体９４をターミナル２０の内側の端部２４から螺合させるのに要する組付け用のトルクは小さくてもよい。
【００２７】
上述したように、本発明に係るターミナルコンタクトのアセンブリ１０、７２は、特に航空宇宙機用の電気部品に対して取付けられる。このため、本発明に係るターミナルコンタクトのアセンブリ１０、７２は、摂氏−５５℃〜１２５℃の温度範囲内で電気部品が露出されたとき、ハウジング１４の内部をこの外部環境から保護できるように密閉できる。さらに、本発明に係るターミナルコンタクトのアセンブリ１０、７２は、航空宇宙機が地上と海面上から高さが高度８０,０００フィート（２４．３８４ｋｍ：１フィートは０．３０４８ｍ）までの間を繰返し循環しても、ハウジング１４の開口部１２内の密閉を維持できる。
【００２８】
以上、添付した図を参照して、本発明に係る実施形態について説明したが、本発明に対して変形及び修正を行うことは可能であって、本発明の範囲は添付した特許請求の範囲によってのみ定められることを理解されたい。
【図面の簡単な説明】
【００２９】
【図１】本発明の実施形態に係るターミナルコンタクトのアセンブリを示す分解斜視図である。
【図２】本発明の実施形態に係るターミナルコンタクトのアセンブリを示す底面図である。
【図３】図２の３−３線に沿って示す本発明の実施形態に係るターミナルコンタクトのアセンブリの断面図である。
【図４】図３と同様であるが、本発明の他の実施形態に係るターミナルコンタクトのアセンブリを示す断面図である。
【符号の説明】
【００３０】
１０、７２              ターミナルコンタクトのアセンブリ
１２                    開口部
１４                    ハウジング
２０                    ターミナル（ターミナルコンタクト）
３６、７４              外側の絶縁体（インシュレータ）
４８、８６              Ｏ−リング（シール部材）
５０、９４              内側の絶縁体（インシュレータ）
６８                    ナット（トルクを生じさせる構造物）
【図１】
2004349252.tif 000003
【図２】
2004349252.tif 000004
【図３】
2004349252.tif 000005
【図４】
2004349252.tif 000006